(57)【要約】【課題】回路板の各回路でジャンプコネクトするフラットケーブルのジャンプコネクターを提供する。【解決手段】フラットケーブルのジャンプコネクターは、少なくともフレキシブルフラットケーブル(FFC)と第二連接部品を含む。そのフレキシブルフラットケーブルと第二連接部品の間は、回路板で相互に連接定位して通電する。更に該回路板上には複数の回路を設置し、該フレキシブルフラットケーブルは各回路と連接する複数の第一ピンを設置し、また該第二連接部品も各回路と連接する複数の第二ピンを設置する。各第一ピンの排列順序と第二ピンの排列順序は異なるため、回路板の各回路によってフレキシブルフラットケーブルと第二連接部品がジャンプコネクトされる。【選択図】図３
0003143107.tif 000002
【実用新案登録請求の範囲】
【請求項１】
少なくとも回路板、フレキシブルフラットケーブル、第二連接部品から構成されたフラットケーブルのジャンプコネクターにおいて、
複数の回路を設置する回路板と、
各回路と連接する複数の第一ピンを設置するフレキシブルフラットケーブル(FFC)と、
各回路と連接する複数の第二ピンを設置し、各第一ピンの排列順序と第二ピンの排列順序は異なり、該フレキシブルフラットケーブルと第二連接部品は回路板によって相互に連接定位して通電し、且つ各回路がフレキシブルフラットケーブルと第二連接部品のジャンプコネクトを提供する第二連接部品を含むことを特徴とするフラットケーブルのジャンプコネクター。
【請求項２】
前記該第二連接部品は、同軸線もしくはフレキシブルフラットケーブルとすることを特徴とする請求項１記載のフラットケーブルのジャンプコネクター。
【請求項３】
前記該フレキシブルフラットケーブルは、第二連接部品に相対する別端に第一連接本体を設置し、また該第二連接部品はフレキシブルフラットケーブルに相対する別端に第二連接本体を設置することを特徴とする請求項１記載のフラットケーブルのジャンプコネクター。
【請求項４】
少なくともフレキシブルフラットケーブル(FFC)、フレキシブル回路板を含むフラットケーブルのジャンプコネクターにおいて、
複数の第一ピンを設置するフレキシブルフラットケーブル(FFC)と、
複数の第三ピン及び第四ピンを設置し、各第三ピンの排列順序と第四ピンの排列順序は異なり、また各第一ピンと第三ピンは相互に連接するフレキシブル回路板を含むことを特徴とする請求項１記載のフラットケーブルのジャンプコネクター。
【請求項５】
前記該フレキシブルフラットケーブルは、フレキシブル回路板に相対する別端に第一連接本体を設置し、該フレキシブル回路板はフレキシブルフラットケーブルに相対する別端に第二連接本体を設置することを特徴とする請求項４記載のフラットケーブルのジャンプコネクター。
【考案の詳細な説明】
【技術分野】
【０００１】
本考案は、フラットケーブルのジャンプコネクターに関するもので、特に提供一種のフレキシブルフラットケーブルとその他連接部品に提供され、回路板の各回路でジャンプコネクトするフラットケーブルのジャンプコネクターに係る。
【背景技術】
【０００２】
フレキシブルフラットケーブル(Flexible
Flat Cable , FFC)は、一種用PET絶縁材と極薄のスズメッキした扁平銅線を合圧したデータケーブル配線を用いる。これは低廉で、極薄の厚みで湾曲折畳しやすく、更に電磁環境耐性(EMI)を構成しやすい特性により、多くの電気製品の間の移動部部品のメインボードに対する連接に広く応用されている。
【０００３】
一部のノート型パソコンを例にとると、フレキシブルフラットケーブルはノート型パソコンの液晶モニター(LCD)とメインボードの間の信号の連接に応用する。またフレキシブルフラットケーブルは耐折曲性が高く、低価格等の特徴を具えるため，コストを考える上でノート型パソコンのスピーディな市場特性に於いて優勢であり、特にフレキシブルプリント回路板(Flexible Printed Circuit , FPC)にとって代わる様になっている。
【０００４】
一般のフレキシブルフラットケーブルの使用に於いて，図１に示すとおり、フレキシブルフラットケーブル１１で第一、第二主体１２、１３を連接する時、該第一、第二主体１２、１３上には複数のピン(図未提示)が設置され、また各ピンはフレキシブルフラットケーブル１１によって相互に連接され、信号もしくは電力の伝送を実施する。そのうち、該第一、第二主体１２、１３上の各ピンは排列順序が異なってジャンプを形成する。例を挙げると、第一主体の第一番目のピンの信号もしくは電力は第二主体の第三番目のピンに伝送される。この時、仮に該フレキシブルフラットケーブル１１が確実に連接されていないと、該フレキシブルフラットケーブル１１上に具わる複数の伝送線１１１は相互に平行排列しているので、第一、第二主体１２、１３上の各ピンのジャンプコネクトを完成することができない。
【０００５】
故に市場では同軸線の構造が出ており、図２に示すとおり、該第一、第二主体１２、１３の各ピン(図未提示)は、複数の同軸線１４が相互に連接することにより、信号もしくは電力の伝送を達成する。また該第一、第二主体１２、１３上の各ピンの排列順序が異なりジャンプ形成した時、例を挙げると第一主体の第一番目のピンの信号もしくは電力は第二主体の第三番目のピンに伝送され、一本の同軸線の一端が該第一主体の第一番目のピンに連接し、別端は第二主体の第三番目のピンに連接して構成される。しかし、各同軸線１４は一絶縁部品１５内に覆われているため、乱れた同軸線を露出させることができず、該同軸線の耐折曲性も劣り、比較的小さな空間での実用性に適応できない。
【考案の開示】
【考案が解決しようとする課題】
【０００６】
解決しようとする問題点は、フレキシブルフラットケーブルが確実に連接されていないと、第一、第二主体上の各ピンのジャンプコネクトを完成することができない点であり、また各同軸線は一絶縁部品内に覆われているため、該同軸線の耐折曲性も劣り、比較的小さな空間での実用性に適応できない点である。
【課題を解決するための手段】
【０００７】
本考案は、少なくともフレキシブルフラットケーブル(FFC)と第二連接部品を含む。そのフレキシブルフラットケーブルと第二連接部品の間は、回路板で相互に連接定位して通電する。更に該回路板上には複数の回路を設置し、該フレキシブルフラットケーブルは各回路と連接する複数の第一ピンを設置し、また該第二連接部品も各回路と連接する複数の第二ピンを設置する。各第一ピンの排列順序と第二ピンの排列順序は異なるため、回路板の各回路によってフレキシブルフラットケーブルと第二連接部品がジャンプコネクトされることを最も主要な特徴とする。
【考案の効果】
【０００８】
本考案のフラットケーブルのジャンプコネクターは、下述の利点がある。
１、本考案のコネクターは、ジャンバーの連接に適し、特にフレキシブルフラットケーブルをコネクターとして使用し、公知のフレキシブルフラットケーブルがジャンプコネクトできない欠点を改善する。
２、本考案はフレキシブルフラットケーブルとその他連接部品(例として同軸線もしくはその他電子線)に応用し、フレキシブルフラットケーブルの耐折曲性を高め、低価格等の特徴を具える。
【考案を実施するための最良の形態】
【０００９】
フレキシブルフラットケーブルとその他連接部品に依る一種のフラットケーブルのジャンプコネクターを提供し、回路板の各回路に依るジャンプコネクトを形成することを本考案の主な目的とする。
【００１０】
上述の目的のため、フラットケーブルのジャンプコネクター全体は、少なくともフレキシブルフラットケーブル(FFC)と第二連接部品(例として同軸線、もしくはフレキシブルフラットケーブル)を含む。そのフレキシブルフラットケーブルと第二連接部品の間は、回路板で相互に連接定位して通電し、且つ該回路板上には複数の回路が設置される。該フレキシブルフラットケーブルは、各回路と連接する複数の第一ピンを設置し、また該第二連接部品も各回路と連接する複数の第二ピンを設置する。各第一ピンの排列順序と第二ピンの排列順序は異なるため、回路板の各回路によってフレキシブルフラットケーブルと第二連接部品がジャンプコネクトされる。
【実施例１】
【００１１】
本考案の特徴を本考案の図式と共に実施例で詳しく説明する。
本考案「フラットケーブルのジャンプコネクター」に於いて、該ジャンプコネクター２０の構造は、図３に示すとおり、少なくともフレキシブルフラットケーブル２１と第二連接部品を含む。図に示す実施例に於いて、該第二連接部品は同軸線２２とする。そのフレキシブルフラットケーブル２１と同軸線２２の間は回路板２３によって相互に連接定位して通電し、且つ該回路板２３上には複数の回路２３１を設置する。
【００１２】
そのうち，該フレキシブルフラットケーブル２１には各回路２３１と連接する第一ピン２１１を複数設置し、該同軸線２２にもまた各回路２３１と連接する第二ピン２２１を複数設置する。各第一ピン２１１の排列順序と第二ピン２２１の排列順序は異なる。同時に図４に示すとおり、例として各第一ピン２１１の排列順序を１、２、３、４、５、６、７、８、９、１０、１１、１２、１３、１４、１５、１６、１７、１８とし、また各第二ピン２２１の排列順序を２、１、６、４、７、３、５、１０、１１、９、８、１５、１３、１６、１２、１４、１８、１７とする。また回路板２３上の回路２３１は各第一ピン２１１を相互に対応する第二ピン２２１まで連接する設計で、該回路板２３の回路２３１をフレキシブルフラットケーブル２１と同軸線２２のジャンプコネクトするように設置する。
【００１３】
フラットケーブルのジャンプコネクター全体を二主体に応用して連接した時、図５に示すとおり、該フレキシブルフラットケーブル２１は、同軸線２２に相対する別端に第一連接本体２４を設置する。該第一連接本体２４と第一本体３１を連接することにより、該同軸線２２はフレキシブルフラットケーブル２１に相対する別端に第二連接本体２５を設置する。また該第二連接本体２５と第二本体３２が連接することにより、第一、第二本体３１、３２の信号もしくは電力を構成して連接伝送する。上述の第一、第二連接本体はODD(Optical Disc Drive)、SATA(Serial ATA)、HDMI(High-Definition Multimedia Interface)、USB、D-sub、もしくはLVDS伝送インターフェイスとする。当然、図６に示すとおり、該第二連接部品はフレキシブルフラットケーブル２１でもよい。
【００１４】
他に、図７に示すとおり、該同軸線２２に保護ユニット部品２６を被せるか、もしくは図８に示すように該回路板２３上に保護ユニット部品２６を被せる。もちろん図９に示すように、回路板２３及び同軸線２２に保護ユニット部品２６を同時に被せてもよい。上述の保護ユニット部品２６は熱縮ホルダーでもよく、同軸線及び/もしくは回路板上に覆うことにより、遮蔽、保護効果を形成する。
【００１５】
更に該フラットケーブルのジャンプコネクターの別の一実施例として、図１０に示すとおり、少なくともフレキシブルフラットケーブル２１とフレキシブル回路板２７を含む。該フレキシブル回路板２７上には複数の第三ピン２７１及び第四ピン２７２を設置し、更に第一、第四ピンの間にはそれを連接する回路２７３を設置する。各第三ピン２７１の排列順序と第四ピン２７２の排列順序は異なり、該フレキシブルフラットケーブル２１は、各第三ピン２７１と連接する第一ピン２１１を複数設置し、該第一ピン２１１は、溶接方式によって第三ピン２７１と相互に連接して通電する。フラットケーブルのジャンプコネクター全体を二主体に応用して連接した時、図１１に示すとおり、該フレキシブルフラットケーブル２１はフレキシブル回路板２７に相対する別端に第一連接本体２４を設置する。該第一連接本体２４と第一本体３１を連接することによって該フレキシブル回路板２７はフレキシブルフラットケーブル２１に相対する別端に第二連接本体２５を設置する。また該第二連接本体２５と第二本体３２を連接することにより、第一、第二本体３１、３２の信号もしくは電力の連接伝送を構築する。上述の第一、第二連接本体はODD(Optical Disc Drive)、SATA(Serial ATA)、HDMI(High-Definition Multimedia Interface)、USB、D-sub、もしくはLVDS伝送インターフェイスとする。勿論、該フレキシブルフラットケーブル２１とフレキシブル回路板２７の間には更に保護ユニット部品２６を被せてもよく、図１２に示すとおり、該保護ユニット部品２６は熱縮ホルダーとして遮蔽、保護の效果を具える。
【００１６】
本考案の技術内容及び技術特徴は、上述に示すとおりである。しかし、本考案技術に習熟する者が、本考案に提示した技術を元に、各種の本考案の精神から乖離しない入れ替え、修飾を実施することもある。そのため、本考案の保護範囲は、実施例に制限されることがなく、本考案から乖離しない入れ替え、及び修飾はすべて請求範囲に属することとする。
【図面の簡単な説明】
【００１７】
【図１】公知のフレキシブルフラットケーブルをコネクターにした構造指示図である。
【図２】公知の同軸線をコネクターにした構造指示図である。
【図３】本考案のジャンプコネクターの第一実施例の構造分解指示図である。
【図４】本考案の回路板と各ピンの構造指示図である。
【図５】本考案のジャンプコネクターの第一実施例で、二主体と相互に連接した構造指示図である。
【図６】本考案のジャンプコネクターの第二実施例で、二主体と相互に連接した構造指示図である。
【図７】本考案のジャンプコネクターの第三実施例で、二主体と相互に連接した構造指示図である。
【図８】本考案のジャンプコネクターの第四実施例で、二主体と相互に連接した構造指示図である。
【図９】本考案のジャンプコネクターの第五実施例で、二主体と相互に連接した構造指示図である。
【図１０】本考案のジャンプコネクターの第六実施例の構造指示図である。
【図１１】本考案のジャンプコネクターの第六実施例で、二主体と相互に連接した構造指示図である。
【図１２】本考案のジャンプコネクター第六実施例と二主体相互連接の別一構造指示図である。
【符号の説明】
【００１８】
１１          フレキシブルフラットケーブル
１１１      伝送線
１２          第一主体
１３          第二主体
１４          同軸線
１５          絶縁部品
２０          ジャンプコネクター
２１          フレキシブルフラットケーブル
２１１        第一ピン
２２          同軸線
２２１        第二ピン
２３          回路板
２３１        回路
２４          第一連接本体
２５          第二連接本体
２６          保護ユニット部品
２７          フレキシブル回路板
２７１        第三ピン
２７２        第四ピン
２７３        回路
３１          第一本体
３２          第二本体
【図１】
0003143107.tif 000003
【図２】
0003143107.tif 000004
【図３】
0003143107.tif 000005
【図４】
0003143107.tif 000006
【図５】
0003143107.tif 000007
【図６】
0003143107.tif 000008
【図７】
0003143107.tif 000009
【図８】
0003143107.tif 000010
【図９】
0003143107.tif 000011
【図１０】
0003143107.tif 000012
【図１１】
0003143107.tif 000013
【図１２】
0003143107.tif 000014